(57)【要約】【課題】  携帯電話機等の携帯型の情報端末装置において、テレビ表示とその他のデータ画面表示との混合表示を簡便に実現する。【解決手段】  携帯電話機（情報端末装置）１は、テレビの映像を表示パネル２に表示するためにテレビの映像信号に基づくテレビ画面表示データを表示メモリ１８に書き込むテレビ画面表示部２３と、テレビ画面表示データとは異なるデータ画面表示データを記憶する描画バッファ１６と、テレビ画面表示部２３によってテレビ画面表示データが書き込まれた表示メモリ１８の残余の領域に、描画バッファ１６からデータ画面表示データを転送して書き込む画面表示制御部１７とを備える。これにより、テレビ画面と他のデータ表示画面とを一つの表示パネルに混在表示させることができる。【選択図】  図１
2005156993.tif 000002
【特許請求の範囲】
【請求項１】
表示メモリを備え、該表示メモリに表示データを書き込むことにより表示装置への表示を行う情報端末装置であって、
テレビの映像を表示装置に表示するためにテレビの映像信号に基づく第一の表示データを表示メモリに書き込むテレビ画面表示手段と、
上記第一の表示データとは異なる第二の表示データを記憶する描画バッファと、
上記テレビ画面表示手段によって上記第一の表示データが書き込まれた上記表示メモリの残余の領域に、上記描画バッファから上記第二の表示データを転送して書き込む画面表示制御手段と、を備えることを特徴とする情報端末装置。
【請求項２】
上記画面表示制御手段は、上記描画バッファにおける上記第二の表示データを所定の領域単位で管理するとともに、該領域単位で上記表示メモリへ転送するものであることを特徴とする請求項１に記載の情報端末装置。
【請求項３】
上記第二の表示データを上記領域単位で上記描画バッファに書き込む第二の画面表示手段を備えることを特徴とする請求項２に記載の情報端末装置。
【請求項４】
上記第二の画面表示手段は、自装置に搭載されたアプリケーションの画面を上記表示装置に表示するための表示データを上記領域単位で上記描画バッファに書き込むものであることを特徴とする請求項３に記載の情報端末装置。
【請求項５】
上記データ画面表示手段は、自装置の状態を上記表示装置に表示するための表示データを上記領域単位で上記描画バッファに書き込むものであることを特徴とする請求項３または４に記載の情報端末装置。
【請求項６】
表示メモリに表示データを書き込むことにより表示装置への表示を行う情報端末装置の制御方法であって、
テレビの映像を表示装置に表示するためにテレビの映像信号に基づく第一の表示データを表示メモリに書き込むテレビ画面表示ステップと、
上記第一の表示データが書き込まれた上記表示メモリの残余の領域に、描画バッファから上記第一の表示データとは異なる第二の表示データを転送して書き込む第二の画面表示ステップと、を含むことを特徴とする情報端末装置の制御方法。
【発明の詳細な説明】
【技術分野】
【０００１】
本発明は、携帯電話機等の携帯型の情報端末装置に関し、さらに詳しくは、テレビデータの表示機能を備えた情報端末装置およびその制御方法に関するものである。
【背景技術】
【０００２】
近年、携帯電話機の高性能化が進み、省電力・画面描画能力の向上が図られている。それに伴い、携帯電話機にはカメラ・音楽再生・画像再生・ゲームなどの機能が付加され、今後はテレビの機能が付加されるものと予想される。具体的には、携帯電話機に搭載されるテレビ機能は、従来の地上波アナログ放送だけではなく、地上波デジタル放送にも対応するであろうし、画像放送だけではなく文字放送の受信・描画も行われるであろう。このように、携帯電話機では、画像表示と文字放送表示を同時に表示する混合表示機能の搭載が今後進むものと予想される。
【発明の開示】
【発明が解決しようとする課題】
【０００３】
しかしながら、従来の携帯電話機では、画面の表示制御は、テレビ表示とデータ放送表示との混合表示を考慮して作成されていない。その結果、従来の携帯電話機で混合表示を実現するためには、新たにテレビ表示制御と混合表示用のデータ放送表示制御を作成し、それぞれの表示領域に合った描画制御を行う必要がある。
【０００４】
また、従来の携帯電話機には、Ｗｅｂのブラウジング機能が備わっているものも多い。よって、Ｗｅｂのブラウジング機能をデータ放送表示に流用できれば、操作性の合せ込みや、プログラミング効率の向上が見込まれる。しかし、Ｗｅｂのブラウジング機能は混合表示を考慮して作成されておらず、実際に流用することは難しい状況となっている。
【０００５】
また、従来の携帯電話機では、データ放送表示以外のメールなどの表示をテレビ表示に混合表示する場合、テレビ表示時（混合表示時）と非表示時とで表示位置および表示領域が異なるため、テレビ表示時の画面・制御作成が別途必要となる。なお、携帯電話機には数百の画面表示があり、それらのすべてをテレビ表示との混合描画を考慮した制御とするのは非常に難しい。しかも、テレビ表示時と非表示時の画面を別々に作成した場合、作成工数がかかるとともに、テレビ表示時の画面データを格納する領域が別途必要となり、携帯電話機のメモリを圧迫することとなる。
【０００６】
本発明は、上記の問題点を解決するためになされたもので、その目的は、携帯電話機等の携帯型の情報端末装置において、テレビ表示とその他のデータ画面表示との混合表示を簡便に実現することができる情報端末装置およびその制御方法を提供することにある。
【課題を解決するための手段】
【０００７】
上記課題を解決するために、本発明に係る情報端末装置は、表示メモリを備え、該表示メモリに表示データを書き込むことにより表示装置への表示を行う情報端末装置であって、テレビの映像を表示装置に表示するためにテレビの映像信号に基づく第一の表示データを表示メモリに書き込むテレビ画面表示手段と、上記第一の表示データとは異なる第二の表示データを記憶する描画バッファと、上記テレビ画面表示手段によって上記第一の表示データが書き込まれた上記表示メモリの残余の領域に、上記描画バッファから上記第二の表示データを転送して書き込む画面表示制御手段と、を備えることを特徴としている。
【０００８】
さらに、本発明に係る情報端末装置は、上記画面表示制御手段は、上記描画バッファにおける上記第二の表示データを所定の領域単位で管理するとともに、該領域単位で上記表示メモリへ転送するものであることを特徴としている。
【０００９】
さらに、本発明に係る情報端末装置は、上記第二の表示データを上記領域単位で上記描画バッファに書き込む第二の画面表示手段を備えることを特徴としている。
【００１０】
さらに、本発明に係る情報端末装置は、上記第二の画面表示手段は、自装置に搭載されたアプリケーションの画面を上記表示装置に表示するための表示データを上記領域単位で上記描画バッファに書き込むものであることを特徴としている。
【００１１】
さらに、本発明に係る情報端末装置は、上記データ画面表示手段は、自装置の状態を上記表示装置に表示するための表示データを上記領域単位で上記描画バッファに書き込むものであることを特徴としている。
【００１２】
また、本発明に係る情報端末装置の制御方法は、表示メモリに表示データを書き込むことにより表示装置への表示を行う情報端末装置の制御方法であって、テレビの映像を表示装置に表示するためにテレビの映像信号に基づく第一の表示データを表示メモリに書き込むテレビ画面表示ステップと、上記第一の表示データが書き込まれた上記表示メモリの残余の領域に、描画バッファから上記第一の表示データとは異なる第二の表示データを転送して書き込む第二の画面表示ステップと、を含むことを特徴としている。
【発明の効果】
【００１３】
以上のように、本発明に係る情報端末装置は、テレビの映像を表示装置に表示するためにテレビの映像信号に基づく第一の表示データを表示メモリに書き込むテレビ画面表示手段と、上記第一の表示データとは異なる第二の表示データを記憶する描画バッファと、上記テレビ画面表示手段によって上記第一の表示データが書き込まれた上記表示メモリの残余の領域に、上記描画バッファから上記第二の表示データを転送して書き込む画面表示制御手段と、を備える構成である。
【００１４】
また、本発明に係る情報端末装置の制御方法は、テレビの映像を表示装置に表示するためにテレビの映像信号に基づく第一の表示データを表示メモリに書き込むテレビ画面表示ステップと、上記第一の表示データが書き込まれた上記表示メモリの残余の領域に、描画バッファから上記第一の表示データとは異なる第二の表示データを転送して書き込む第二の画面表示ステップと、を含む方法である。
【００１５】
これにより、一つの画面にテレビ画面と第二の表示データよりなる表示画面とを混合させて表示することができる。よって、テレビ画面の領域が固定された情報端末装置においても、テレビ画面と第二の表示データよりなる表示画面との混合表示を簡便に実現することが可能となるという効果を奏する。なお、第二の表示データよりなる表示画面としては、情報端末装置に搭載されたアプリケーションの画面、情報端末装置の状態や機能を表示する画面等が挙げられる。
【００１６】
さらに、本発明に係る情報端末装置は、上記画面表示制御手段は、上記描画バッファにおける上記第二の表示データを所定の領域単位で管理するとともに、該領域単位で上記表示メモリへ転送するものである。
【００１７】
これにより、さらに、描画バッファから第二の表示データを領域単位で表示メモリへ転送することができるため、画面の構成変更が容易である。それゆえ、データ画面の全画面表示、テレビ画面の全画面表示、データ画面とテレビ画面との混合表示を簡便に切り替えることができる。
【００１８】
さらに、本発明に係る情報端末装置は、上記第二の表示データを上記領域単位で上記描画バッファに書き込む第二の画面表示手段を備える構成である。
【００１９】
これにより、さらに、描画バッファから表示メモリへ領域単位で転送することを考慮して、第二の表示データを描画バッファを書き込むことができるという効果を奏する。
【００２０】
加えて、第二の表示データを描画バッファから表示メモリへ一括転送できるように第二の画面表示手段が第二の表示データを描画バッファへ書き込むことが望ましい。このようにすれば、第二の表示データよりなる表示画面をテレビ画面と混合表示する場合には、第二の表示データを描画バッファから表示メモリへ領域ごとに転送するとともに、第二の表示データよりなる表示画面をテレビ画面と混合表示しない場合には、第二の表示データを描画バッファから表示メモリへ一括転送できる。よって、これらの表示形態の切り替えを簡便に実現することが可能となる。
【００２１】
さらに、本発明に係る情報端末装置は、上記第二の画面表示手段は、自装置に搭載されたアプリケーションの画面を上記表示装置に表示するための表示データを上記領域単位で上記描画バッファに書き込むものである。
【００２２】
これにより、さらに、アプリケーションの画面をテレビ画面と一つの画面に混合表示できるという効果を奏する。
【００２３】
さらに、本発明に係る情報端末装置は、上記データ画面表示手段は、自装置の状態を上記表示装置に表示するための表示データを上記領域単位で上記描画バッファに書き込むものである。
【００２４】
これにより、さらに、自装置の状態を表示する画面をテレビ画面と一つの画面に混合表示できるという効果を奏する。
【００２５】
なお、上記情報端末装置は、コンピュータによって実現してもよい。この場合には、コンピュータを上記各手段として動作させることにより上記情報端末装置をコンピュータにて実現させる制御プログラム、およびその制御プログラムを記録したコンピュータ読み取り可能な記録媒体も、本発明の範疇に入る。
【発明を実施するための最良の形態】
【００２６】
本発明の一実施の形態について図１から図６に基づいて説明すれば、以下のとおりである。
【００２７】
本実施の形態に係る携帯電話機（情報端末装置）１は、携帯電話の通信網を介して他の携帯電話機と通話する機能を有する携帯電話である。また、携帯電話機１は、テレビ放送を受信して表示する機能を有する。なお、本実施の形態では携帯電話機を例として説明するが、本発明はこれに限定されず、他の情報端末機器、特にメモリの容量に制限のある携帯型の情報端末機器に適用可能である。
【００２８】
携帯電話機１は、表示メモリ１８を備え、表示メモリ１８に表示データを書き込むことにより表示パネル（表示装置）２への表示を行う。
【００２９】
図２（ａ）は、上記携帯電話機１の外形を示す斜視図である。同図に示すように、携帯電話機１は、ユーザが操作するためのボタン等の操作部３と、ユーザに画像情報を提示する表示パネル２とを備えている。
【００３０】
図２（ｂ）は、表示パネル２の全画面にテレビの画面を表示した状態を示す説明図である。同図に示すように、表示パネル２の全画面にテレビの画面を表示する場合には、表示パネル２に横長の向きに表示する。なお、表示パネル２のサイズや縦横比は適宜選択可能である。
【００３１】
また、図３（ａ）は、文字放送の画面を表示した状態を示す説明図である。同図に示すように、表示パネル２に文字放送、あるいは携帯電話のメニューや他のアプリケーションの画面を表示する場合には、表示パネル２に縦長の向きに表示する。また、同図に示したテレビ非表示時画面２００では、画面が、電波強度表示を表示するピクト領域２０１、文字放送などの内容を表示するデータ領域２０２、キーのガイダンスを表示するソフトキー領域２０３に分割されている。また、本実施の形態では、テレビの映像放送の画面をテレビ画面と、その他の内容を表示する画面をデータ画面と、それぞれ称する。
【００３２】
図３（ｂ）は、表示パネル２にテレビ画面とデータ画面とを混合表示した状態を示す説明図である。また、同図に示したテレビ表示時画面２１０では、画面が、上記ピクト領域２０１、テレビ映像を表示するテレビ画面領域２１１、文字放送などの内容を表示するデータ領域２１２、上記ソフトキー領域２０３に分割されている。なお、図３（ｂ）には、ピクト領域２０１およびソフトキー領域２０３を図３（ａ）と同じ状態に表示し、データ領域２０２に対応する領域にテレビ画面領域２１１とデータ領域２１２とを表示した場合を示している。ただし、テレビ非表示時画面２００およびテレビ表示時画面２１０の形態はこれに限定されない。
【００３３】
以下、携帯電話機１において、テレビ画面の全画面表示（図２（ｂ））と、データ画面の全画面表示（図３（ａ）、テレビ非表示時画面２００）と、テレビ画面とデータ画面との混合表示（図３（ｂ）、テレビ表示時画面２１０）とを切り替えて表示パネル２に表示するための構成および動作について詳細に説明する。
【００３４】
図１は、携帯電話機１の構成の概略を示す機能ブロック図である。なお、図１には表示に関する機能のみを示している。よって、例えば、通話に関する機能やユーザインタフェース等については省略してある。
【００３５】
携帯電話機１は、携帯電話送受信部１１、アプリケーション部１２、画面構成データ格納部１３、状態取得部１４、データ画面表示部（第二の画面表示手段）１５、描画バッファ１６、画面表示制御部（画面表示制御手段）１７、表示メモリ１８、テレビ受信部２０、テレビ画面表示部（テレビ画面表示手段）２３を備えて構成されている。
【００３６】
携帯電話機１は、携帯電話送受信部１１により、アンテナを介して携帯電話網との通信を行う。また、表示パネル２への表示を、表示メモリ１８にビットマップデータを書き込むことに行う。
【００３７】
アプリケーション部１２は、携帯電話機１の機能設定や、携帯電話機１が備える他のアプリケーションを実行する。携帯電話機１はアプリケーションとして、例えばデータ画面に時計を表示する。なお、図４（ａ）は、時計を全画面表示した状態を示し（テレビ非表示時画面２００）、図４（ｂ）は、時計をテレビ画面と混合表示した状態を示す（テレビ表示時画面２１０）。
【００３８】
特に、アプリケーション部１２は、Ｗｅｂブラウザの機能を有しており、これによりデータ表示画面の操作体系を共通化している。このＷｅｂブラウザの機能は、例えば、携帯電話網を介してＷｅｂサイトにアクセスし、Ｗｅｂページを表示できる。また、携帯電話機１に格納されたファイルを表示するなど、他の表示にも利用される。
【００３９】
データ画面表示部１５は、アプリケーション部１２や状態取得部１４の表示出力をデータ画面表示データとして描画バッファ１６に書き込む。データ画面表示部１５は、画面構成データ格納部１３より読み出した画面構成データ（領域構成情報、領域配置情報）に従って、テレビ非表示時画面２００およびテレビ表示時画面２１０を構成するようにデータ画面表示データを描画バッファ１６に書き込む。
【００４０】
データ画面表示部１５は、データ画面表示データを領域（ピクト領域２０１、データ領域２０２、ソフトキー領域２０３等）単位で描画バッファ１６に書き込む。例えば、データ画面表示部１５は、自装置に搭載されたアプリケーション（アプリケーション部１２）の画面をデータ領域２０２単位で描画バッファ１６に書き込む。また、データ画面表示部１５は、状態取得部１４で取得した自装置の状態を表示パネル２に表示するための表示データをピクト領域２０１単位で描画バッファ１６に書き込む。
【００４１】
特に、データ画面表示部１５は、描画バッファ１６にデータ画面表示データを、表示パネル２に全画面表示する状態で書き込む。すなわち、描画バッファ１６のデータ画面表示データを、表示パネル２の全画面に対応する先頭アドレスから末尾アドレスまで、表示メモリ１８に一括転送することで、データ画面が表示パネル２の全画面表示できるようになっている。加えて、データ画面表示部１５は、描画バッファ１６へのポインタによってデータ画面表示データを領域ごとに管理する。これにより、データ画面表示データを領域ごとに表示メモリ１８への転送することを可能としている。
【００４２】
状態取得部１４は、自装置の状態、例えば携帯電話の電波強度やバッテリ残量等を取得し、データ画面表示部１５に送信する。
【００４３】
画面構成データ格納部１３は、データ画面の構成を規定した画面構成データを格納している。なお、画面構成データについては後述する。
【００４４】
描画バッファ１６は、データ画面表示部１５によって書き込まれたデータ画面表示データ（第二の表示データ）を記憶する。なお、データ画面表示データは後述するテレビ画面表示データとは異なる表示データである。
【００４５】
テレビ受信部２０は、アンテナを介して放送信号の受信を行う。テレビ受信部２０は、文字放送を受信する文字放送受信部２１、映像放送を受信する映像放送受信部２２を備えている。なお、本実施の形態では、音声については省略してある。映像、文字、音声は、それぞれ単独で受信してもよいし、他の信号と同時に受信してもよい。
【００４６】
テレビ画面表示部２３は、映像放送受信部２２が受信した映像信号に基づくテレビ画面表示データ（第一の表示データ）を表示メモリ１８に書き込む。テレビ画面表示データを表示メモリ１８に書き込む位置は、画面表示制御部１７からの全画面／混合制御情報に従う。すなわち、全画面／混合制御情報によって全画面表示が指定されていれば、テレビ画面表示部２３は、表示パネル２の全画面に表示されるようにテレビ画面表示データを表示メモリ１８に書き込む。また、全画面／混合制御情報によって混合表示が指定されていれば、テレビ画面表示部２３は、表示パネル２の一部に表示されるようにテレビ画面表示データを表示メモリ１８に書き込む。なお、混合表示の際の書き込み位置は、固定されていてもよいし、画面表示制御部１７からデータ画面ごとに指定してもよい。
【００４７】
文字放送受信部２１が受信した文字データは、アプリケーション部１２へ送信され、データ画面表示部１５によりデータ画面として表示される。
【００４８】
画面表示制御部１７は、テレビ画面の全画面表示と、データ画面の全画面表示と、テレビ画面とデータ画面との混合表示との切り替えを制御する。具体的には、テレビ画面の全画面表示の場合、テレビ画面表示部２３に対して、全画面／混合制御情報によって全画面表示を指定する。また、データ画面の全画面表示の場合、画面表示制御情報によって、描画バッファ１６から１画面分のデータ画面表示データの一括転送する。また、テレビ画面とデータ画面との混合表示の場合、テレビ画面表示部２３に対して、全画面／混合制御情報によって混合表示を指定する一方、画面表示制御情報によって描画バッファ１６から１画面分のデータ画面表示データを領域ごとに各領域の書き込み位置へ転送する。
【００４９】
また、画面表示制御部１７は、データ画面のスクロール制御を行うスクロール表示部１７ａを備えている。なお、スクロール表示部１７ａについては後述する。
【００５０】
ここで、画面構成データについて説明する。画面構成データは、データ画面ごとにあらかじめ設定されて、画面構成データ格納部１３に格納されている。画面構成データは、領域構成情報および領域配置情報を含んでいる。画面構成データは、テーブル形式に構成されていてもよい。
【００５１】
領域構成情報には、各領域の表示状態を規定したデータが登録されている。例えば、領域構成情報は、領域ごとに、「部品種別，Ｘ座標，Ｙ座標，領域の幅，領域の高さ，描画バッファへのポインタ，表示前景色，表示背景色」が設定されている。なお、「部品種別」には、具体的には、ラベル、アンカーラベル、リスト、テキストボックス等の表示部品の種類を指定する。「Ｘ座標，Ｙ座標」には、画面構成データを画面表示させたときに、領域構成情報の表示先頭位置がどこにあたるかを指定する。これは、例えば、原点（(x,y）＝(0,0)）を基準とする座標によって行い、また、ドット表示で描画を実現するシステムの場合にはドット単位にて行う。「描画バッファへのポインタ」には、描画バッファ１６に格納したデータ表示画面データの先頭ポインタを指定する。
【００５２】
領域配置情報には、１つのデータ画面に描画する領域および該領域の配置を規定したデータが登録されている。例えば、領域配置情報は、データ画面ごとに、「１つ目の領域を書き込む表示メモリのポインタ、２つ目の領域を書き込む表示メモリのポインタ、・・・、最後の領域を書き込む表示メモリのポインタ」が設定されている。
【００５３】
このような領域構成情報および領域配置情報を、データ画面表示部１５が表示するデータ画面ごとに画面構成データ格納部１３より読み出し、データ画面表示データの描画バッファ１６への書き込みを行う。具体的には、データ画面表示部１５は、領域構成情報に従って、各領域のデータ画面表示データを生成し、指定されたポインタに従って描画バッファ１６へ書き込む。また、データ画面表示部１５は、領域配置情報を画面表示制御部１７（ウインドウライブラリ）へ通知して、混合表示等の形態に応じて描画バッファ１６から表示メモリ１８へデータ画面表示データを転送させる。
【００５４】
図５は、携帯電話機１における画面表示制御部１７によるデータ画面表示データの転送制御の概略を示すフローチャートである。なお、以下では、図３（ａ）（ｂ）に示した場合を例に説明する。
【００５５】
まず、描画開始時、現在テレビを表示中か否かを画面表示制御部１７にて判定する（Ｓ１１）。この判定の結果、テレビ表示時でない場合（Ｓ１１でＮＯ）、描画バッファ１６のデータ画面表示データをまとめて表示メモリ１８に転送する（Ｓ１２）。すなわち、テレビを表示していない状態でデータ画面（テレビ非表示時画面２００）を表示する場合には１画面分のフル転送を行う。
【００５６】
一方、ステップＳ１１において、テレビ表示時である場合（Ｓ１１でＹＥＳ）、描画バッファ１６からのデータ画面表示データの転送を、ピクト領域転送（Ｓ１３）、データ領域転送（Ｓ１４）、ソフトキー領域転送（Ｓ１５）の３段階に分割して行う。このとき、図３（ｂ）に示すように、テレビ表示時画面２１０のテレビ領域２１１には、テレビ画面表示部２３がテレビ画面表示データを逐次書き込んでいる（テレビ画面表示ステップ）。すなわち、画面表示制御部１７は、テレビを表示している状態でデータ画面を表示する場合、領域配置情報に従って、テレビ領域２１１を避けてデータ画面表示データを書き込む。
【００５７】
描画バッファ１６からデータ画面表示データを表示メモリ１８へ転送して表示状態に移行した後は、画面表示制御部１７にて画面変化を検出した時（Ｓ１７）に、ステップＳ１１〜Ｓ１４の処理を行う。なお、ステップＳ１１〜Ｓ１４が、第二の画面表示ステップに対応する。
【００５８】
図６は、携帯電話機１における画面表示制御部１７によるデータ画面のスクロール制御の概略を示すフローチャートである。この制御は、画面表示制御部１７のスクロール表示部１７ａが行う。なお、以下では、図３（ａ）（ｂ）に示した場合を例に説明する。
【００５９】
図３（ａ）に示したテレビ非表示時画面２００を、図３（ｂ）に示したテレビ表示時画面２１０に切り替えた場合、データ領域２０２にテレビ画面領域２１１を表示するため、同じように表示することができない。そこで、データ領域２１２のように、例えばスクロールバーを表示して、ユーザが画面をスクロールしながら閲覧できるように表示する。
【００６０】
まず、画面表示中に（Ｓ２１）、ユーザのキー（操作部３）入力などによりスクロール処理が起こった場合（Ｓ２２）、画面表示制御部１７にてテレビ表示時かどうかを判定する（Ｓ２３）。判定の結果、テレビ表示時でなければ（Ｓ２３でＮＯ；図３（ａ））、上述したようにデータ領域２０２を表示する（Ｓ２４，Ｓ２５）。
【００６１】
一方、ステップＳ２３の判定の結果テレビ表示時であれば（Ｓ２３でＹＥＳ）、スクロール表示部１７ａがデータ領域２１２（限定画面領域）のデータ画面表示データを構築し（Ｓ２６）、表示メモリ１８へ転送する（Ｓ２７）。
【００６２】
ここで、携帯電話機１では、テレビ非表示時画面２００とテレビ表示時画面２１０とで、画面構成データが共通化されている。例えば、図４に示した時計の画面の場合、テレビ非表示時画面２００（図４（ａ））ではデータ領域２０２が表示パネル２の全画面に表示されるが、テレビ表示時画面２１０（図４（ｂ））ではデータ領域２０２の上端部の表示内容が表示パネル２の下部のデータ領域２１３に表示されている。これにより、携帯電話機１のユーザは、テレビを見ながら、待ち受け時間を確認できる。
【００６３】
この表示は、テレビ表示時画面２１０ではテレビ非表示時画面２００のデータ領域２０２の上端部しか表示されないことを考慮して、テレビ表示時画面２１０でも時計のみは表示できるように、画面構成データが設計されていることにより得られるものである。
【００６４】
具体的には、領域構成情報および領域配置情報は、テレビ表示時と非表示時とで共用するように作成される。ここで、領域配置情報には、テレビ表示時にテレビ画面領域２１１（図３（ｂ））を使用しないように表示座標（表示メモリ１８へのポインタ）が設定される。そして、混合表示の際、画面表示制御部１７が、領域配置情報に従って、テレビ画面領域２１１と重ならないように各領域のデータ画面表示データを転送する。
【００６５】
このように、テレビ表示時と非表示時とのデータ画面の画面構成データを共通化することにより、次のような利点がある。すなわち、データ画面の全画面表示と混合表示とで画面構成データを共用できるため、画面構成データ格納部１３の容量を小さくできるとともに、メモリの使用効率がよい。また、テレビの表示／非表示の状態を、表示データを作成するアプリケーション部１２や表示データを格納するデータ画面表示部１５で判定する必要がない。テレビの表示／非表示の状態の判定および表示位置の制御を画面表示制御部１７（ウインドウライブラリ）にて一括して行うため、画面の違いによる不整合が生じない。
【００６６】
なお、画面構成データを共通化しないことも可能である。具体的には、領域構成情報および領域配置情報は、テレビ表示時と非表示時とで別個に作成される。ここで、テレビ表示時の領域構成情報には、テレビ表示時にテレビ画面領域２１１（図３（ｂ））を使用しないように表示座標（描画バッファ１６へのポインタ）が設定される。なお、この場合、テレビ表示時の描画バッファと非表示時の描画バッファとを分けることが望ましい。
【００６７】
以上のように、携帯電話機１では、データ画面（図３（ａ）（ｂ））を表示する場合、制御部（アプリケーション部１２）がウインドウライブラリ（データ画面表示部１５、画面表示制御部１７）に対し描画要求を行い、ウインドウライブラリは描画を行う前段階にて描画バッファ１６にデータ画面表示データ（描画データ）を構築した後、それを表示メモリ１８へ転送する。ここで、この転送は、データ画面を全画面表示する場合、描画バッファ１６から１画面分のデータ画面表示データを一括転送する。一方、データ画面をテレビ画面と混合面表示する場合、描画バッファ１６からデータ画面表示データを領域ごとに転送する。このとき、データ領域２１２（図３（ｂ））のように、描画の開始位置および領域幅が描画バッファ１６の格納状態と異なる領域については、転送時に転送開始座標と領域の変更を行う。
【００６８】
特に、データ画面表示部１５は、描画バッファ１６にデータ画面表示データを、表示パネル２に全画面表示する状態で書き込む。すなわち、描画バッファ１６のデータ画面表示データを、表示パネル２の全画面に対応する先頭アドレスから末尾アドレスまで、表示メモリ１８に一括転送することで、データ画面が表示パネル２の全画面表示できるようになっている。加えて、データ画面表示部１５は、描画バッファ１６へのポインタによってデータ画面表示データを領域ごとに管理する。これにより、データ画面表示データを領域ごとに表示メモリ１８への転送することを可能としている。
【００６９】
すなわち、データ画面表示データを描画バッファ１６から表示メモリ１８へ一括転送可能できるようにデータ画面表示部１５がデータ画面表示データを描画バッファ１６へ書き込むとともに、画面表示制御部１７が描画バッファ１６中のデータ画面表示データを領域単位で管理する。また、画面表示制御部１７が、データ画面を全画面表示するのか、テレビ画面と混合表示するのかに応じて、データ画面表示データの表示メモリ１８への書き込み位置を変更する。
【００７０】
これにより、データ画面の全画面表示、テレビ画面の全画面表示、データ画面とテレビ画面との混合表示を簡便に切り替えることができる。また、画面構成データを共通化できる。しかも、画面表示制御部１７が混在表示の制御を一括して行うため、他の制御プログラミングは画面の混在表示を意識せずに済みプログラミング効率および操作性の合せ込みが向上する。
【００７１】
図３（ａ）（ｂ）に示したように、携帯電話機１では、テレビ非表示画面２００のデータ領域２０２を、テレビ表示画面２１０のデータ領域２１２の位置および描画領域に転送する。これにより、テレビ画面とデータ画面との混在表示が実現できる。さらに、テレビ表示時とテレビ非表示時とで表示制御を共用できる。なお、データ領域２１２には、データ放送の画面、アプリケーションの画面などを表示できる。
【００７２】
また、ピクト領域２０１およびソフトキー領域２０３のように、テレビ表示時とテレビ非表示時とで表示が変わらない領域を設けることもできる。よって、操作ボタン案内等の各種機能表示の画面や電界強度等の状態表示の画面などを、テレビ画面の表示／非表示にかかわらずデータ画面に常に表示できる。また、テレビ表示時とテレビ非表示時とで表示制御を共用できる。
【００７３】
本実施の形態で示した画面例は説明のためのものであって、領域の数や各領域に表示する内容は任意に設定できる。例えば、データ領域が複数に分割されていてもよい。また、分割位置も可変であってよい。分割位置が変更された場合、位置に応じてポインタを変更して画面構成データ格納部１３に格納してもよいし、変更された位置はその時限りとして、次回に表示した際には、画面構成データ格納部１３の画面構成データに従って表示してもよい。
【００７４】
また、携帯電話機１の各機能ブロック、特に、アプリケーション部１２、データ画面表示部１５、画面表示制御部１７は、ハードウェアロジックによって構成してもよいし、次のようにＣＰＵを用いてソフトウェアによって実現してもよい。
【００７５】
すなわち、携帯電話機１の各機能ブロックは、例えばＣＰＵ（Central Processing Unit）が、内部の各機能ブロックにおける処理動作を実現するためのプログラムを実行することによって実現することができる。また、上記プログラムは、例えば記憶装置に記憶されており、必要時にＲＡＭなどの作業記憶領域に読み出されてＣＰＵによって実行されることになる。上記プログラムを記憶する記憶装置は、例えばフラッシュＥＥＰＲＯＭなどの不揮発性ＩＣメモリやハードディスクなどの不揮発性記録媒体によって構成することができる。また、各種リムーバブルメディアに上記プログラムが記憶されており、必要時にこのリムーバブルメディアからプログラムが読み出されることによって実行される形態でもよい。また、上記プログラムは、通信ネットワークを介して外部からダウンロードされて実行されるようになっていてもよい。
【００７６】
さらに、本実施の形態は本発明の範囲を限定するものではなく、本発明の範囲内で種々の変更が可能であり、例えば、以下のように構成することができる。
【００７７】
本発明の情報端末装置は、テレビを表示する機能と、データ放送（文字放送を含む）を表示する機能と、テレビとデータ放送または携帯電話機の機能表示を同一画面に混合表示する機能と、画面描画に関する制御を行うウインドウライブラリ機能を有し、データ放送の表示制御部または携帯電話機の機能の表示制御部がテレビ表示時と非表示時との画面位置および描画領域の違いを考慮しない描画設定でも、ウインドウライブラリ制御のみでテレビ表示とデータ放送表示または携帯電話機の機能表示とを同一画面に行うように構成されたものであってもよい。
【００７８】
これにより、携帯電話機の各種機能表示およびデータ放送表示をテレビ表示と同一画面上に混在させることが可能となり、かつウインドウライブラリが混在表示の制御を一括して行うため他の制御プログラミングは画面の混在表示を意識せずに済み、プログラミング効率および操作性の合せ込みが向上する。
【００７９】
また、本発明の情報端末装置は、テレビ放送表示機能と、データ放送表示機能と、テレビとデータ放送の混合表示を行う機能を有する携帯電話機であって、表示制御をテレビ表示時とテレビ非表示時に分けて作成せず、表示制御を共用できるように構成されたものであってもよい。
【００８０】
さらに、本発明の情報端末装置は、テレビ表示時に携帯電話の各種機能表示を行う携帯電話機であって、各種機能表示制御をテレビ表示時とテレビ非表示時とに分けて作成せず、制御を共用できるように構成されたものであってもよい。
【００８１】
さらに、本発明の情報端末装置は、テレビ表示時に携帯電話の各種機能表示を行う携帯電話機であって、電界強度表示や操作ボタン案内表示をテレビ表示時とテレビ非表示時とに分けて作成せず、制御を共用できるように構成されたものであってもよい。
【産業上の利用可能性】
【００８２】
本発明は、テレビ表示とその他のデータ画面表示との混合表示を簡便に行うことができるため、テレビ画面を表示する領域が固定された情報端末装置、特に、携帯電話機に好適に利用できる。
【図面の簡単な説明】
【００８３】
【図１】本発明の一実施の形態に係る携帯電話機の表示に関する構成の概略を示す機能ブロック図である。
【図２】図２（ａ）は、上記携帯電話機の外形を示す斜視図である。図２（ｂ）は、上記携帯電話機の表示パネルの全画面にテレビの画面を表示した状態を示す説明図である。
【図３】図３（ａ）は、上記携帯電話機の表示パネルにデータ画面を表示した状態を示す説明図である。図３（ｂ）は、上記携帯電話機の表示パネルにテレビ画面とデータ画面とを混合表示した状態を示す説明図である。
【図４】図３（ａ）は、上記携帯電話機の表示パネルにデータ画面を表示した他の状態を示す説明図である。図３（ｂ）は、上記携帯電話機の表示パネルにテレビ画面とデータ画面とを混合表示した他の状態を示す説明図である。
【図５】上記携帯電話機におけるデータ画面表示データの転送制御の概略を示すフローチャートである。
【図６】上記携帯電話機におけるデータ画面でのスクロール制御の概略を示すフローチャートである。
【符号の説明】
【００８４】
１    携帯電話機（情報端末装置）
２    表示パネル（表示装置）
１２    アプリケーション部（アプリケーション）
１４    状態取得部（状態取得手段）
１５    データ画面表示部（第二の画面表示手段）
１６    描画バッファ
１７    画面表示制御部（画面表示制御手段）
１８    表示メモリ
２３    テレビ画面表示部（テレビ画面表示手段）
２０１  ピクト領域（領域）
２０３  ソフトキー領域（領域）
２１２  データ領域（領域）
Ｓ１３〜Ｓ１５  第二の画面表示ステップ
【図１】
2005156993.tif 000003
【図２】
2005156993.tif 000004
【図３】
2005156993.tif 000005
【図４】
2005156993.tif 000006
【図５】
2005156993.tif 000007
【図６】
2005156993.tif 000008